(57)【特許請求の範囲】
【請求項１】
フード１と、送風機４を備えたレンジフードであって、
前記フード１に、送風機４の吸込口４１と対峙して当該吸込口４１に人の手が入らないようにする防護部材５を、前記送風機４の吸込口４１よりも上流側の位置に取り外し可能に取り付けると共に、この防護部材５の有無を判断する判断手段６を設け、
該判断手段６が防護部材無と判断したときに、前記送風機４のファン４ｂを回転するモータ４ｃに通電できないようにし、
前記判断手段６が防護部材無と判断したときに所定の時間だけ作動し、電源からモータ４ｃに通電制御する操作スイッチ７を操作したときに再び作動する警告器８０を設けたことを特徴とするレンジフード。
【請求項２】
前記判断手段６が防護部材有と判断しているときには、手動操作で点灯、消灯し、点灯している状態で前記判断手段６が防護部材有から防護部材無と判断したときに消灯する照明具７６をフード１に設けた請求項１記載のレンジフード。
【請求項３】
前記判断手段６が防護部材有と判断しているときには、手動操作で点灯、消灯し、点灯している状態で前記判断手段６が防護部材有から防護部材無と判断したときに消灯し、その後手動操作で点灯する照明具７６をフード１に設けた請求項１記載のレンジフード。
【請求項４】
前記防護部材５は、整流板５０、フィルター５６、通気用開口５７ａを有した覆板５７のいずれか１つである請求項１〜３いずれか１項記載のレンジフード。
【発明の詳細な説明】
【技術分野】
【０００１】
本発明は、調理器具の周囲に設置されて調理により発生する油煙などの調理ガスを捕集して屋外等へ排気するレンジフードに関する。
【背景技術】
【０００２】
近年、台所用換気装置としてプロペラ式換気扇に変わり、調理器具の周囲に配置されて調理により発生する油煙などの調理ガスを、内蔵する送風機によりフード内部へと捕集し、屋外等へ排気、あるいは各種フィルターにより清浄化した空気を室内へと吹き出すレンジフードが提案されている。
例えば、特許文献１に開示したように、送風機を備えたフードに整流板を設け、フードの内面と整流板との間の隙間を通して油煙などの調理ガスを吸い込んで捕集し、屋外に排気するレンジフードが提案されている。
【先行技術文献】
【特許文献】
【０００３】
【特許文献１】特許第４４０９７１１号公報
【発明の概要】
【発明が解決しようとする課題】
【０００４】
前述した従来のレンジフードは、フード内部や送風機のファンに調理ガス中の油脂分などの油汚れが付着するので、フード内部を人が手作業で清掃することがある。
前述した送風機のファンをフード内部から取り出しできるレンジフードの場合は、フード内部のみではなく、送風機のファンを取り外してフード内部から取り出して清掃することがある。
また、対面式キッチンやアイランド式キッチンなどの普及により、リビングとキッチンが一連にレイアウトされることが多くなっていることから、レンジフードのフード内部や送風機のファンに油汚れが付着しているなどすると、油の臭いがリビング側へと伝わってしまうという悪さからもレンジフードのフード内部の清掃や送風機のファンをフード内部から取り出して清掃する機会が増えている。
前述した従来のレンジフードにおいては、整流板を取り外し、その状態でフードの内部を人が手で拭いて清掃したり、送風機のファンをフード内部から取り出してシンク等で洗うことで清掃する。このレンジフードはフィルターを備えているので、整流板とともにフィルターを取り外して清掃したり、ファンを取り出しする。
しかしながら、前述のようにフード内部を清掃したり、送風機のファンを取り出しするときに、送風機が駆動していると人の手が回転しているファンに触れることがあるので、フード内部を清掃したり、ファンを取り出すときには、コンセントを抜くなどの操作により送風機を停止操作するようにしているが、その送風機の停止操作を忘れてしまった場合には危険が生じる可能性があった。
【０００５】
本発明の目的は、フード内部の清掃や送風機のファンをフード内部から取り出しする際には、送風機を停止操作しなくとも送風機が停止してファンが回転することがなく、フード内部の清掃作業やファンの取り出し作業時に送風機の停止操作を忘れても危険が生じることがないようにしたレンジフードとすることである。
【課題を解決するための手段】
【０００６】
本発明は、フード１と、送風機４を備えたレンジフードであって、
前記フード１に、送風機４の吸込口４１と対峙して当該吸込口４１に人の手が入らないようにする防護部材５を、前記送風機４の吸込口４１よりも上流側の位置に取り外し可能に取り付けると共に、この防護部材５の有無を判断する判断手段６を設け、
該判断手段６が防護部材無と判断したときに、前記送風機４のファン４ｂを回転するモータ４ｃに通電できないようにし、
前記判断手段６が防護部材無と判断したときに所定の時間だけ作動し、電源からモータ４ｃに通電制御する操作スイッチ７を操作したときに再び作動する警告器８０を設けたことを特徴とするレンジフードである。
【００１１】
本発明においては、前記判断手段６が防護部材有と判断しているときには、手動操作で点灯、消灯し、点灯している状態で前記判断手段６が防護部材有から防護部材無と判断したときに消灯する照明具７６をフード１に設けることができる。
【００１２】
このようにすれば、防護部材を取り外したときに照明具７６が消灯するから、無駄な電力消費を抑制できる。
【００１３】
本発明においては、前記判断手段６が防護部材有と判断しているときには、手動操作で点灯、消灯し、点灯している状態で前記判断手段６が防護部材有から防護部材無と判断したときに消灯し、その後手動操作で点灯する照明具７６をフード１に設けることができる。
【００１４】
このようにすれば、防護部材を取り外したときに照明具７６を再び点灯できるから、フード１周辺が暗いときなどに防護部材を再び取り付ける操作がやり易い。
【００１７】
本発明においては、前記防護部材５は、整流板５０、フィルター５６、通気用開口５７ａを有した覆板５７のいずれか１つとすることができる。
【発明の効果】
【００１８】
本発明によれば、フード１に防護部材５を取り付けた状態では送風機４のモータ４ｃに通電制御してファン４ｂを回転、停止できるので、レンジフードを運転制御することができる。
フード内部の清掃や送風機４のファン４ｃをフード内部から取り出しする際には、防護部材５を取り外しするので、ファン４ｃを回転するモータ４ｃに通電することができないから、ファン４ｃが回転することがなく、フード内部の清掃作業やファン４ｃの取り出し作業時に送風機の停止操作を忘れても危険が生じることがない。
しかも、フード内部の清掃作業やファン４ｃの取り出し作業中に送風機を駆動操作してもファン４ｃが回転することがないから危険ではない。
また、前記判断手段６が防護部材無と判断したときに作動する警告器８０を設けたから、防護部材５を取り外しすると警告器８０が作動するので、レンジフードの使用者は防護部材５がないことを感知できる。
また、防護部材５を取り外した状態で操作スイッチ７を操作したときに、警告器８０が作動するので、レンジフードの使用者は防護部材５がないためにレンジフードが運転しないことを感知できる。
【図面の簡単な説明】
【００１９】
【図１】本発明の第１の実施の形態を示すレンジフードの縦断面図である。
【図２】図１のＡ−Ａ断面図である。
【図３】図１において整流板を下向き姿勢とした状態の縦断面図である。
【図４】図２において整流板を取り外した状態の断面図である。
【図５】モータ駆動回路図である。
【図６】本発明の第２の実施の形態を示すレンジフードの断面図である。
【図７】本発明の第３の実施の形態を示すレンジフードの断面図である。
【図８】本発明の第４の実施の形態を示すモータ駆動回路図である。
【図９】本発明の第５の実施の形態を示すモータ駆動回路図である。
【発明を実施するための形態】
【００２０】
本発明の第１の実施の形態を図１〜図５に基づいて説明する。
フード１は、フード本体１ａと送風機収納体１ｂを備え、そのフード本体１ａは外郭２と内郭３を有している。
この外郭２は、上面板２０と周面板２１で下面が開口した箱形状で、その上面板２０に開口部２２が形成してあると共に、周面板２１の周縁下端部には内向きの被取付フランジ２３が設けてある。
前記内郭３は、上面板３０と周面板３１で下向きの皿形状で、その上面板３０の孔３２の周縁に筒体３３が設けてあると共に、周面板３１の周縁下端部に外向きの取付フランジ３４が設けてある。
前記内郭３の筒体３３が外郭２の開口部２２に嵌合すると共に、取付フランジ３４を被取付フランジ２３に着脱自在に連結して外郭２と内郭３を連結してフード本体１ａとしてある。
前記内郭３の下面がフード１の内部である。
【００２１】
前記送風機収納体１ｂは入口側開口２４と出口側開口２５を有した箱形状で、その内部に送風機４が設けてある。
前記送風機収納体１ｂは、その入口側開口２４が筒体３３に嵌め込むように外郭２の上面板２０に取り付けられる。
【００２２】
前記送風機４は、ケーシング４ａ内にファン４ｂを設けると共に、そのケーシング４ａに設けたモータ４ｃでファン４ｂを回転駆動するようにしてある。
前記ケーシング４ａに連通した吐出部４０が出口側開口２５に嵌合し、そのケーシング４ａに形成した吸込口４１が前記筒体３３（孔３２）と連通し、その筒体３３から吸込口４１に手を入れてロック部材４２を弛めることでモータ４ｃの回転軸４３とファン４ｂを分離できると共に、そのロック部材４２を締め付けることでモータ４ｃの回転軸４３とファン４ｂを連結できる。
このようであるから、フード１から送風機４のファン４ｂをフード１内部から容易に取り出しすることができる。
【００２３】
前記フード１、例えばフード本体１ａの内郭３には、送風機４の吸込口４１と間隔を置いて対峙し、人の手が吸込口４１に入らないようにするための防護部材５、例えば整流板５０が取り外し可能に取り付けてある。
前記内郭３には整流板５０が取り付けてあるのか、取り外してあるのか、つまりフード１に整流板５０の有無を判断する手段６、例えばリミットスイッチ６０が取り付けてある。
【００２４】
このリミットスイッチ６０がＯＮのとき、つまり整流板有と判断したときには、操作スイッチ７を操作することで、前記送風機４のモータ４ｃに通常どおりに通電制御できる。
前記リミットスイッチ６０がＯＦＦのとき、つまり整流板無と判断したときには操作スイッチ７の操作に関係なく、前記送風機４のモータ４ｃに通電できないようにしてある。
前記操作スイッチ７はフード１の前面、例えばフード本体１ａの外郭２の周面板２１に取り付けてある。
【００２５】
このようであるから、整流板５０を取り付けた状態では操作スイッチ７を操作することで送風機４を駆動、停止してレンジフードを通常どおり運転することができる。
また、整流板５０を取り外した状態では操作スイッチ７に関係なく送風機４のファン４ｂが停止するので、フード１内部を人の手で清掃するときにファン４ｂに触れても危険ではないし、ファン４ｂをフード１内部から取り出すときに危険が生じることがなく、これらの作業時に送風機４の停止操作を忘れても危険が生じることがない。
しかも前述の作業中に誤って操作スイッチ７に触れても送風機４のファン４ｂが回転することがなく危険が生じることがない。
【００２６】
前記整流板５０の取り付けを説明する。
前記整流板５０は平板５１の周縁に立上り片５２を設けた形状で、その立上り片５２の後側５２ａに支持軸５３が横向きに設けてある。
前記内郭３の周面板３１の後側３１ａには支持片５４が取り付けてあり、この支持片５４の先端部に前記支持軸５３が上下方向に回動自在で、かつ着脱自在に支持してある。
これにより、整流板５０は図１に示す取り付け姿勢と、図３に示す下向き姿勢とに亘って上下に回動自在であると共に、その下向き姿勢において支持軸５３を支持片５４の先端部から外すことで整流板５０を取り外しできる。
【００２７】
前記内郭３の上面板３０における前部寄りの左右両側に支持部材３５が設けてあると共に、整流板５０の平板５１の前部寄り左右両側に被支持部材５５が設けてあり、この被支持部材５５を支持部材３５で支持することで整流板５０が取り付け姿勢に支持され、その支持を解除することで整流板５０を下向き姿勢に回動できるようにしてある。
【００２８】
前記支持部材３５は、ブラケット３５ａと、このブラケット３５ａに設けた支持ピン３５ｂ、ばねケース３５ｃと、このばねケース３５ｃと支持ピン３５ｂとの間に設けたばね３５ｄを有し、その支持ピン３５ｂがばね３５ｄで支持位置に保持してある。
前記被支持部材５５は、ブラケット５５ａに支持穴５５ｂを形成したもので、整流板５０を下向き姿勢から取り付け姿勢に向けて回動することで、ブラケット５５ａで支持ピン３５ｂを押し、その支持ピン３５ｂが支持穴５５ｂに嵌まり合うことで被支持部材５５が支持部材３５に支持され取り付け姿勢に支持する。その支持ピン３５ｂをばね３５ｄに抗して押すことで支持穴５５ｂから抜き出すことで被支持部材５５の支持が解除され、下向き姿勢に回動することができる。
【００２９】
前記リミットスイッチ６０は、内郭３の上面板３０の上面における前部寄り左右一側に取り付けてあり、その作動杆６１が上面板３０の孔３６から下方に突出し、前記被支持部材５５、例えばブラケット５５ａの上横片５５ｃと対峙している。
そして、整流板５０が取り付け姿勢のときには図２に示すように、ブラケット５５ａの上横片５５ｃが作動杆６１を押し上げてリミットスイッチ６０をＯＮする。
整流板５０が下向き姿勢又は取り外したときには図４に示すように、ブラケット５５ａの上横片５５ｃが作動杆６１と離れ、作動杆６１は下方に移動してリミットスイッチ６０はＯＦＦとなる。
【００３０】
前述のようにリミットスイッチ６０を取り付けることで、その作動杆６１のみが内郭３の上面板３０の下面、つまりフード１の内部に突出するので、リミットスイッチ６０がフード１内部の油煙の汚れを阻害することがない。
【００３１】
前記操作スイッチ７は、図５に示すように強運転スイッチ７０、中運転スイッチ７１、弱運転スイッチ７２、切スイッチ７３、照明スイッチ７４等を備え、強・中・弱スイッチ７０，７１，７２は電源７５と送風機４のモータ４ｃを断続するもので、その電源７５と強・中・弱運転スイッチ７０，７１，７２の入力側との間に前記リミットスイッチが６０が設けてある。
前記照明スイッチ７４は、フード１に取り付けた照明具７６に通電するものである。
前記切スイッチ７３はＯＮとなっている運転スイッチをＯＦＦとする。
前記リミットスイッチ６０は運転スイッチとモータ４ｃとの接続回路に設けても良い。
【００３２】
このようであるから、いずれかの運転スイッチがＯＮの状態、つまり送風機４が駆動している状態で、整流板５０を下向き姿勢又は取り外しするとリミットスイッチ６０がＯＦＦしてモータ４ｃに通電されなくなるので送風機４は停止する。
また、整流板５０が下向き姿勢又は取り外した状態ではリミットスイッチ６０がＯＦＦであるから、いずれの運転スイッチを０Ｎしてモータ４ｃに通電されないので、送風機４が駆動することない。
【００３３】
この実施の形態では、フード本体１ａと送風機収納体１ｂでフード１としてあるが、フード本体１ａのみでフード１とし、送風機４の吐出部４０をダクト等を介して屋外に排気するようにしても良い。
また、フード本体１ａを外郭２のみで構成しても良い。
【００３４】
前述の実施の形態では、内郭３の内面（フード１の内面）を整流板５０との隙間から流入した油煙等が送風機４の吸込口４１に直接吸い込まれるようにしたが、その吸込口４１にフィルターを設けても良い。
この場合にはフィルターを取り外してファン４ｂを取り出しする。
【００３５】
次に、本発明の第２の実施の形態を図６に基づいて説明する。
この実施の形態は、防護部材５をフィルター５６としたことが、前述の実施の形態と相違し、他の構成は同様である。
フード１は上面板１ａと周面板１ｂで下面が開口した箱形状で、そのフード１の内部には上仕切板１ｃと下仕切板１ｄが設けてある。
この上仕切板１ｃと下仕切板１ｄとに亘ってフィルター５６を取り外し可能に取り付けてフード１内に送風機収納室１ｅを形成し、この送風機収納室１ｅに送風機４が取り付けてある。
この送風機４の吸込口４１が前記フィルター５６と対峙し、そのフィルター５６が前述の防護部材５である。このフィルター５６はグリスフィルターと呼ばれるものである。
【００３６】
前記上仕切板１ｃには下向き凹部１０、下仕切り板１ｄには上向き凹部１１が相対峙してそれぞれ形成してある。
前記フィルター５６は、その上部が前記下向き凹部１０に嵌まり込むと共に、下部が上向き凹部１１に嵌まり込むことで取り付けられ、上向き凹部１１の底部に設けた弾性材１２で押し上げられて上部が下向き凹部１０の底部に接していると共に、フィルター５６を弾性材１２に抗して押し下げると上部が下向き凹部１０から外れ、フィルター５６の上部を手前側に移動して斜め上方に持ち上げることで下部が上向き凹部１１から抜け出すようにしてある。
このようであるから、フィルター５６を下向き凹部１０と上向き凹部１１とに亘って上下けんどん式に取り付け、取り外しできる。
【００３７】
前記上仕切板１ｃにリミットスイッチ６０が取り付けられ、その作動杆６１が下向き凹部１０内に突出している。
そして、フィルター５６を取り付けたときには作動杆６１がフィルター５６で押し上げられてリミットスイッチ６０がＯＮし、フィルター５６を取り外したときには作動杆６１が下向き凹部１０内に突出してリミットスイッチ６０がＯＦＦする。
【００３８】
このようであるから、リミットスイッチ６０を図５に示すようにモータ４ｃの通電回路に設けることで、フィルター５６を取り付けたときには操作スイッチ７を操作することでレンジフードを運転制御でき、フィルター５６を取り外したときには操作スイッチ７の操作に関係なくモータ４ｃに通電できないので、フード１内部の清掃作業やファン４ｂをフード１から取り外す作業のときに、送風機４の停止操作を忘れても危険が生じることがない。
【００３９】
また、フィルター５６を取り付けた状態では、弾性材１２でフィルター５６が押し上げられ、それによってリミットスイッチ６０の作動杆６１を押し上げて確実にＯＮすることができる。
【００４０】
次に、本発明の第３の実施の形態を図７に基づいて説明する。
フード１は、上面板１ａと、周面板１ｂと、周面板１ｂの下部周縁に沿って設けた環状の下部内向板１ｆとで、下部に吸込み用開口１ｇを有する形状である。
この下部内向板１ｆに覆板５７を取り外し可能に取り付けてある。例えばねじ５８で取り付けてある。
この覆板５７は前記吸込み用開口１ｇを閉塞すると共に、送風機４の吸込口４１と対峙し、その吸込口４１に人の手が入り込むことがないように保護し、覆板５７は前述の防護部材５である。
【００４１】
前記覆板５７の前後・左右縁寄りにはスリット形状の通気用開口５７ａが形成され、送風機４を駆動すると通気用開口５７ａから油煙等の調理ガスをフード１内部に捕集し、屋外等に排気する。
図７に示すレンジフードにおいては、フード１の上面板１ａの下面、つまりフード１の内面に調理ガスが衝突するバッフルプレート（図示せず）を設け、そのバッフルプレートの表面に油汚れ等が付着するようにしてある。このバッフルプレートは覆板５７の上面に設けることもできる。
【００４２】
前記フード１の下部内向板１ｆにリミットスイッチ６０が取り付けてある。このリミットスイッチ６０の作動杆６１は覆板５７に接することでリミットスイッチ６０がＯＮし、その作動杆６１が覆板５７と離れるとリミットスイッチ６０がＯＦＦする。
このリミットスイッチ６０は図５に示すと同様に電源とモータ４ｃを接続する回路に設けられ、その回路を連通、遮断する。
【００４３】
このようであるから、覆板５７をフード１に取り付けた状態では操作スイッチ７を操作することでモータ４ｃが回転したり、停止するので、レンジフードを運転制御することができる。
前記覆板５７を取り外した状態では、モータ４ｃに通電されることがなく、フード１の内部清掃作業やファン４ｂの取り出し作業時に、送風機４の停止操作を忘れても危険が生じることはない。
【００４４】
次に、本発明の第４の実施の形態を図８に基づいて説明する。
この実施の形態は警告器８０を設け、この警告器８０を整流板５０（防護部材５）を取り外した状態で操作スイッチ７を操作したときに作動するようにしたものである。
つまり、操作スイッチ７の入力側とリミットスイッチ６０の出力側の間と電源７５の戻り側を回路８１で接続し、その回路８１にリレー８２を設け、リミットスイッチ６０がＯＮのときにはリレー８２に電流が流れ、ＯＦＦのときにはリレー８２に電流が流れないようにする。
【００４５】
操作スイッチ７に連動スイッチ７７を設ける。この連動スイッチ７７は強運転スイッチ７０、中運転スイッチ７１、弱運転スイッチ７２のいずれか１つＯＮするとＯＮとなり、切スイッチ７３を操作することで運転スイッチとともにＯＦＦする。
連動スイッチ７７の入力側を電源７５に接続し、出力側をリレー８２の接点８２ａ、警告器８０を経て電源７５の戻り側に接続し、連動スイッチ７７がＯＮで、接点８２ａがＯＮすると警告器８０に通電されて作動するようにしてある。
リレー８２の接点８２ａは、リレー８２に通電されるとＯＦＦで、通電されないとＯＮとなる。
警告器８０としては、ブザー、ランプ、音声発生器などが用いられる。
【００４６】
次に動作を説明する。
整流板５０を取り付けた状態ではリミットスイッチ６０がＯＮで、リレー８２に通電されて接点８２ａがＯＦＦとなるから、強運転スイッチ７０、中運転スイッチ７１、弱運転スイッチ７２のいずれかを操作してモータ４ｃに通電し、連動スイッチ７７がＯＮとなっても警告器８０に通電されずに作動しない。
【００４７】
整流板５０を取り外した状態ではリミットスイッチ６０がＯＦＦで、リレー８２に通電されずに接点８２ａがＯＮとなるから、強運転スイッチ７０、中運転スイッチ７１、弱運転スイッチ７２のいずれかを操作すると、連動スイッチ７７がＯＮして警告器８０に通電されて作動する。
【００４８】
このように、整流板５０を取り外した状態で操作スイッチ７を操作すると警告器８０が作動するので、レンジフードの使用者は整流板５０がないためにレンジフードが運転しないことを感知できる。
【００４９】
警告器８０は連続して作動しても良いが、この実施の形態ではタイマー機能を有した警告器８０として、所定の時間だけ作動するようにしてある。なお、連動スイッチ７７と警告器８０を接続する回路にタイマーを設けることで、警告器８０が所定の時間だけ作動するようにしても良い。
【００５０】
この実施の形態では、照明スイッチ７４の入力側がリミットスイッチ６０の下流側に接続してあるから、照明スイッチ７４を操作して照明具７６を点灯している状態で、整流板５０を取り外してリミットスイッチ６０がＯＦＦすると照明具７６は消灯する。
このようであるから、整流板５０を取り外してモータ４ｃが停止したときに照明具７６が消灯するので、電力の無駄なく消費を抑制できる。
【００５１】
前述の各実施の形態では判断手段６をリミットスイッチ６０としたが、これに限ることはなく、各種のスイッチ、例えばマイクロスイッチ、近接スイッチ、マグネットスイッチ、発光器と受光器を有した光電式スイッチなどを用いることができる。
【００５２】
また、操作スイッチ７からの信号をマイコンなどのコントローラに送り、その信号に基づいてコントローラがモータ４ｃに通電制御する制御方式のレンジフードとし、前述の判断手段６からの防護部材無の信号、例えばリミットスイッチ６０のＯＦＦ信号をコントローラに入力し、コントローラがモータ４ｃへの通電を止めてモータ４ｃを停止するようにしても良い。
【００５３】
また、警告器８０、照明具７６の前述した作動はマイコンなどのコントローラを用いて制御することができる。
図９に示すように、操作スイッチ７からの信号、判断手段６（リミットスイッチ６０）の有信号、無信号をマイコンなどのコントローラ９０に入力し、そのコントローラ９０が入力された信号に基づいてモータ通電回路９１に制御信号、照明具７６、警告器８０にＯＮ，ＯＦＦ信号を出力するようにする。
【００５４】
例えば、判断手段６から無信号がコントローラ９０に入力されているときに、コントローラ９０に操作スイッチ７から運転信号が入力されたときにはコントローラ９０が警告機８０を作動する信号を出力する。
また、判断手段６から有信号がコントローラ９０に入力されているときに、コントローラ９０に操作スイッチ７から照明信号が入力されると、コントローラ９０は照明具７６の点灯信号を出力し、照明信号が入力されなくなるとコントローラ９０は照明具７６の消灯信号を出力する。
そして、コントローラ９０に判断手段６から有信号が入力され、かつ照明具７６の点灯手段が出力しているときに、判断信号６から無信号がコントローラ９０に入力すると、コントローラ９０は消灯信号を出力して照明具７６を消灯する。
【００５５】
前述のようにして照明具７６が消灯した状態で、照明スイッチ７４を操作して再びコントローラ９０に照明信号が入力されると、コントローラ９０は点灯信号を出力して照明具７６を点灯するようにしても良い。
これにより、整流板５０を取り外した状態で照明具７６を手動で点灯できるから、フード１の周辺が暗いときなどに整流板５０を取り付ける操作がやり易い。
【００５６】
また、判断手段６から無信号がコントローラ９０に入力されたときに警告器８０を作動するようにしても良い。この場合には警告器８０を所定の時間だけ作動し、操作スイッチ７を操作したときに警告器８０を再び作動するようにできる。
【００５７】
このようにすれば、レンジフードの使用者は整流板５０がないことを感知できる。
【符号の説明】
【００５８】
１…フード、４…送風機、４ｂ…ファン、４ｃ…モータ、５…防護部材、６…判別手段、５０…整流板、５６…フィルター、５７…覆板、５７ａ…通気用開口、７６…照明具、８０…警告器、９０…コントローラ。
【図１】
0005871391.tif 000002
【図２】
0005871391.tif 000003
【図３】
0005871391.tif 000004
【図４】
0005871391.tif 000005
【図５】
0005871391.tif 000006
【図６】
0005871391.tif 000007
【図７】
0005871391.tif 000008
【図８】
0005871391.tif 000009
【図９】
0005871391.tif 000010